(57)【要約】      （修正有）【課題】適切な血圧測定ができるように血圧測定用カフを取り付け対象に取り付けられるとともに、上記カフのねじれを防止できる接続器具を提供する。【解決手段】カフ接続器具１００ａは、カフ１０と測定台２３とを接続する、帯状または複数の紐状部材を含む補助帯１を備えている。【選択図】図２
2017063840.tif 000002
【特許請求の範囲】
【請求項１】
血圧測定用のカフと、当該カフの取り付け対象とを、物理的に接続する接続器具であって、
上記カフと上記取り付け対象とを接続する、帯状または複数の紐状部材を含む可撓性部材を備えることを特徴とする接続器具。
【請求項２】
上記カフと上記可撓性部材とを着脱可能に接続する第１固定具をさらに備えることを特徴とする請求項１に記載の接続器具。
【請求項３】
上記可撓性部材の端部を通す開口部が上記取り付け対象に形成されており、
上記端部が上記開口部から抜けることを防止するストッパーをさらに備えることを特徴とする請求項１または２に記載の接続器具。
【請求項４】
上記ストッパーは、上記カフを所定の位置に戻す錘として機能することを特徴とする請求項３に記載の接続器具。
【請求項５】
上記取り付け対象に固定され、上記可撓性部材を巻き取る巻き取り機構をさらに備えることを特徴とする請求項１または２に記載の接続器具。
【請求項６】
上記可撓性部材を上記取り付け対象に接続する第２固定具をさらに備え、
上記第２固定具は、測定対象者の手首を載置できる載置面を有していることを特徴とする請求項１または２に記載の接続器具。
【発明の詳細な説明】
【技術分野】
【０００１】
本発明は、血圧測定用カフを取り付け対象に取り付けるための接続器具に関するものである。
【背景技術】
【０００２】
近年、健康への関心の高まりや、高齢化によって、血圧管理による脳卒中、心不全等の心血管系の疾患予防のため、血圧計が広く普及している。
【０００３】
一般的に、血圧計は、カフを備えている。ここでカフとは、内空を有する流体袋を含む帯状または筒状の外装帯によって構成される構造物であって、生体の一部に装着が可能なものを意味しており、上記カフに気体や液体等の流体を上記内空に注入することによって、流体袋を膨張させ、動脈を圧迫し、血圧の測定をするものである。
【０００４】
カフを用いた血圧測定装置として、例えば、特許文献１から３には、カフがヘルスケアキオスクシステムの筐体に固定された装置が開示されている。
【０００５】
また、特許文献４には、カフと椅子のサイドポケットに収納されている血圧計とをエア管によって繋いでいる椅子型の統合型健康管理システムが開示されている。
【０００６】
更に、特許文献５には、カフを生体に正しく装着するための、位置決め用目印を有する血圧計用カフが開示されている。
【先行技術文献】
【特許文献】
【０００７】
【特許文献１】米国特許第１３３３４８５１号明細書（２０１３年１１月１９日公開）
【特許文献２】米国特許第１５０９５０６１号明細書（２０１５年４月２日公開）
【特許文献３】米国特許第０８９９６３９２号明細書（２０１５年３月３１日公開）
【特許文献４】米国特許第０８４６９８８４号明細書（２０１２年１０月２５日公開）
【特許文献５】特開２００７−２７５４８４号公報（２００７年１０月２５日公開）
【発明の概要】
【発明が解決しようとする課題】
【０００８】
しかしながら、特許文献１から３の構成では、カフとヘルスケアキオスクシステムの筐体との相対位置関係が固定されているため、不特定多数が利用すると考えられるヘルスケアキオスクシステムでは、使用者（測定対象者）個々に応じてカフの設置位置を変更できない。そのため、使用者に対して装着位置および装着姿勢を強制することになり、不快感を与える可能性がある。
【０００９】
例として、血圧測定後にカフから腕を抜く際に、一旦体を引く動作が必要となる。この時、特許文献１および２のヘルスケアキオスクシステムでは、身体を後ろに引いた際に椅子から転倒する危険性がある。
【００１０】
また、特許文献３のヘルスケアキオスクシステムでは、使用者の背後に壁があることから身体を後ろに引く動作が制限される虞がある。更に、装着する際の身体動作の制限によりカフの装着が適正ではない場合には、カフの内空に流入された気体または液体によって動脈を十分に圧迫することができず、血圧情報の測定精度が低下してしまうことが考えられる。
【００１１】
特許文献４の発明では、カフに気体または液体等の流体を出入させるためのエア管によって血圧計とカフとが繋がっているため、カフの装着が適切でない場合において、エア管のねじれの原因となり、エア管内部の流体の流入や、エア管の耐久性に弊害が起きる問題が考えられる。
【００１２】
引用文献５では、正しくカフを装着するために目印を付けている。しかし、当該目印に基づいたカフ取り付け方法の知識を使用者が予め有している必要があり、使用者の知識が不足していた場合意味をなさない。その結果、装着方法の誤りやエア管のねじれが発生するという問題が生じる可能性がある。
【００１３】
本発明は、以上の課題に鑑みなされたものであり、適切な血圧測定ができるように血圧測定用カフを取り付け対象に取り付けられるとともに、上記カフのねじれを防止できる接続器具を提供することにある。
【課題を解決するための手段】
【００１４】
上記の課題を解決するために、本発明の一態様に係る接続器具は、血圧測定用のカフと、当該カフの取り付け対象とを、物理的に接続する接続器具であって、上記カフと上記取り付け対象とを接続する、帯状または複数の紐状部材を含む可撓性部材を備えている。
【発明の効果】
【００１５】
本発明の一態様に係る接続器具によれば、適切な血圧測定ができるように血圧測定用カフを取り付け対象に取り付けられるとともに、上記カフのねじれを防止できるという効果を奏する。
【図面の簡単な説明】
【００１６】
【図１】本発明の実施形態１に係る血圧測定装置を備えたヘルスケアシステムを示す斜視図である。
【図２】本発明の実施形態１に係る血圧測定装置の構成を示す斜視図であり、（ａ）はカフが測定台に接続されていない状態を示し、（ｂ）はカフがカフ接続器具によって測定台に接続された状態を示す。
【図３】カフの構成を示す図であって、（ａ）はカフが開いている状態の形状を示す平面図であり、（ｂ）は使用者の生体の一部に巻かれた時のカフの形状を示す斜視図である。
【図４】補助帯を測定台に接続する補助帯固定器具の構成を示す図である。
【図５】生体の一部にカフを装着する手順を示す図であって、（ａ）は、カフの装着開始、（ｂ）はカフを装着完了した状態を示す。
【図６】本発明の実施形態２に係る血圧測定装置の構成を示す図であって、（ａ）は血圧測定装置の外観を示す斜視図であり、（ｂ）はカフ接続器具の外観を示す平面図である。
【図７】本発明の実施形態２に係るカフ接続器具が有するカフ固定器具の例を示す図であり、（ａ）は板状クリップを示す平面図であり、（ｂ）は板状クリップの使用例を示す図であり、（ｃ）は板状クリップの長穴を利用して補助帯を固定する方法を示す図であって、（ａ）に示すＡＡ線の矢視断面図である。
【図８】本発明の実施形態２に係るカフ接続器具が有するカフ固定器具の例を示す図であり、（ａ）はバネ状クリップを示す斜視図であり、（ｂ）はバネ状クリップの使用例を示す図である。
【図９】本発明の実施形態３に係る血圧測定装置の構成を示す図であって、（ａ）は血圧測定装置の外観を示す斜視図であり、（ｂ）はカフ接続器具の外観を示す平面図である。
【図１０】本発明の実施形態４に係る血圧測定装置の構成を示す図であって、（ａ）は血圧測定装置の外観を示す斜視図であり、（ｂ）はカフ接続装置の外観を示す平面図である。
【図１１】本発明の実施形態４に係る血圧測定装置が備える補助帯固定器具のドラムを固定する器具の構成を示す図であって、（ａ）は補助帯固定器具のドラムを支えるフレームの斜視図であり、（ｂ）は補助帯固定器具のドラムを支える金属ステーの斜視図であり、（ｃ）は補助帯固定器具のドラムを隠す外装を付加した際の内部構造を示した断面図である。
【図１２】本発明の実施形態５に係る手首式血圧計を備える血圧測定装置の外観を示す斜視図である。
【発明を実施するための形態】
【００１７】
〔実施形態１〕
以下、本発明の実施の一形態について、図１〜図５に基づいて説明すれば、以下のとおりである。
【００１８】
＜ヘルスケアシステム７００＞
図１は、本実施の形態に係る血圧測定装置２００を備えたヘルスケアシステム７００を示す斜視図である。図１に示すように、ヘルスケアシステム７００は、健康管理のための生体情報の測定が可能な椅子型の測定装置である。このヘルスケアシステム７００は、使用者（測定対象者）が安定した姿勢で血圧を測定するための椅子７０１および使用者の血圧を測定する血圧測定装置２００を備えている。ヘルスケアシステム７００には、血圧以外の生体情報を取得するための測定装置が備えられていてもよい。
【００１９】
また、血圧測定装置２００は、椅子７０１の肘掛の両方に備えられていてもよい。
【００２０】
＜血圧測定装置２００＞
図２は、血圧測定装置２００の構成を示す斜視図である。図２の（ａ）は、カフ１０が測定台（取り付け対象）２３に接続されていない状態を示している。図２の（ｂ）は、カフ１０がカフ接続器具（接続器具）１００ａによって測定台２３に接続された状態を示している。
【００２１】
図２に示すように、血圧測定装置２００は、カフ１０、カフ接続器具１００ａ、エア管２１、血圧計本体２２、および測定台２３を備えている。
【００２２】
＜カフ１０＞
図３の（ａ）は、カフ１０の構成を示す平面図である。血圧測定用のカフ１０は、使用者の血圧を測定するため、当該使用者の生体の一部に装着される部材である。図３の（ａ）に示すように、カフ１０は、外装帯１１および流体袋１２を備えている。
【００２３】
外装帯１１は、使用者の生体の一部に装着される帯状の部材である。外装帯１１は、第１端部１１ａ、中間部１１ｂおよび第２端部１１ｃという３つの部分に分かれている。第１端部１１ａは、外装帯１１の長手方向の一端に位置する部分である。第２端部１１ｃは、外装帯１１の長手方向の、第１端部１１ａとは逆側の一端に位置する部分である。中間部１１ｂは、第１端部１１ａと、第２端部１１ｃとの間に位置する部分である。
【００２４】
第１端部１１ａは、第２端部１１ｃに固定可能に構成されている。例えば、第１端部１１ａおよび第２端部１１ｃは、それぞれ面ファスナー（図示せず）を備えている。ここで、第２端部１１ｃは、外装帯１１の長手方向について、第１端部１１ａより長く形成されている。このため、第１端部１１ａが第２端部１１ｃに固定される位置は、使用者が任意に調整できる。
【００２５】
流体袋１２は、内部に流体を充填可能な中空部を有する部材である。流体袋１２は、中間部１１ｂに設けられている。流体袋１２は、エア管２１と接続されている。エア管２１からの気体や液体等の流体を、上記中空部に注入することによって流体袋１２を膨張させ、使用者の動脈を圧迫する。
【００２６】
流体袋１２の材料としては、樹脂シートが好ましいが、漏気がないものであれば他の材料でも利用可能である。樹脂シートの材質としては、エチレン−酢酸ビニル共重合体（ＥＶＡ）、軟質塩化ビニル（ＰＶＣ）、ポリウレタン（ＰＵ）、ポリアミド（ＰＡ）、生ゴム等が考えられる。
【００２７】
＜カフ接続器具１００ａ＞
カフ接続器具１００ａは、カフ１０を測定台２３に物理的に接続する部材である。図２に示すように、カフ接続器具１００ａは、補助帯（可撓性部材）１、カフ固定器具２ａ、カフ固定器具２ｂ、および補助帯固定器具３（第２固定具）を備えている。
【００２８】
カフ固定器具２ａ・２ｂは、図２の（ａ）および（ｂ）に示すように、カフ１０の外装帯１１と補助帯１とを接続するための器具であって、カフ固定器具２ａとカフ固定器具２ｂとによって外装帯１１の第２端部１１ｃおよび補助帯１を挟むことにより外装帯１１と補助帯１とを接続する。
【００２９】
また、カフ固定器具２ａ・２ｂ（第１固定具）は、血圧測定の障害とならない大きさおよび重さを有する。カフ固定器具２ａ・２ｂの材料としては、樹脂または金属の平板が好ましいと考えられる。
【００３０】
カフ１０を挟み込んだ状態のカフ固定器具２ａ・２ｂを固定する方法としては、ネジ留めまたは嵌合等が考えられる。
【００３１】
また、カフ固定器具２ａ・２ｂは、カフ１０と補助帯１とを接続するための器具として図２に示されているが、補助帯とカフとが直接、接着剤、縫合、または面ファスナー等の方法を用いて接続されていてもよい。
【００３２】
補助帯固定器具３は、補助帯１を測定台２３に接続する部材である補助帯固定器具３は、補助帯１を測定台２３に接続することが可能であれば、どのような構成のものでもよい。
【００３３】
図４は、補助帯固定器具３の変更例を示す図である。図４には、両端にネジ穴３６を備える補助帯固定器具３が示されている。補助帯固定器具３のネジ穴３６と、測定台２３に同形状かつ、同位置に設けたネジ穴３７とにネジ３５を差し込み、補助帯１を挟んで補助帯固定器具３を測定台２３に固定している。この時、より頑丈に補助帯１を固定するためにバネワッシャやシリコン、ウレタン、クロロプレン、フッ素、ニトリルなどの高摩擦なシート状またはドット状のゴム・スポンジ部材３８を補助的に用いることが可能である。さらに、鋲打機を用いて直接補助帯１を測定台２３に固定する方法も考えられる。その場合には、打ち込まれた鋲（図示せず）を補助帯固定器具３であるとみなす。
【００３４】
補助帯１は、カフ１０と測定台２３とを接続する帯状の可撓性部材である。図２の（ｂ）に示されるように、補助帯１の一端は、カフ固定器具２ａ・２ｂによってカフ１０に接続されている。補助帯１の他方の端部は、補助帯固定器具３により測定台２３に固定されている。
【００３５】
補助帯１は、目視することでねじれ状態が分かる形状を有している。本実施形態において、補助帯１は帯状の形状を有する。補助帯１の材料としては、伸縮性の少ないゴム、フェルト、革、布等が考えられる。ただし、同様の性質を有する材料であれば、他の材料でもよい。
【００３６】
また、補助帯１は、ねじれ状態が分かる形状であれば良く、帯状に限らず複数の紐状部材を含む形状であることも考えられる。
【００３７】
また、補助帯１は、カフ１０を装着している腕を、当該腕とは反対側の腕で持ち上げた場合、カフ１０を装着している腕の、上腕の高さで伸びきるような長さを有する。さらに、補助帯１は、使用者がカフ１０を装着すべき身体部位の近傍に位置するように設置されている。これにより、カフ１０の移動および回転についての自由度、すなわち空間的自由度が制限される。
【００３８】
＜エア管２１＞
エア管２１は、カフ１０と血圧計本体２２を繋ぐ管である。エア管２１は、流体袋１２内への空気または液体等の供給、あるいは流体袋１２からの空気または液体等の排出の中継をおこなう管である。エア管２１は可撓性を有するチューブであることが好ましい。
【００３９】
＜血圧計本体２２＞
血圧計本体２２は、使用者の血圧を測定する装置である。本実施形態における血圧計本体２２として、オシロメトリック法を利用する装置が考えられる。オシロメトリック法では、まず、カフ１０で使用者の生体の一部を圧迫して動脈を閉塞する。その後、カフ１０を減圧することで、脈波（カフ１０で圧迫された血管が心臓の拍動に合わせて起こす振動）が急激に大きくなったときのカフ１０の圧力である最高血圧（収縮期血圧）、および変化がなくなるときの圧力である最低血圧（拡張期血圧）を測定する。
【００４０】
＜測定台２３＞
測定台２３は、血圧計本体２２が固定される台である。また、測定台２３には、上述した通り、カフ接続器具１００ａにより、カフ１０が接続されている。椅子型のヘルスケアシステム７００に血圧測定装置２００を搭載する場合、測定台２３は、ヘルスケアシステム７００の一般的な構造から、机、または椅子のアームレスト等であることが考えられる。測定台２３は平常の使用時に容易に動かない構造物であること、または、平常の使用時に容易に動かない構造物に備えられていることが好ましい。
【００４１】
（カフの使用方法）
使用者は腕、手首等の生体の一部を、図５の（ａ）に示されるように、カフ１０の流体袋１２が設けられている側にあてがう。次に、図５の（ｂ）に示すように、外装帯１１を生体の一部に巻きつけることにより、カフ１０を装着する。カフ１０を使用者の生体の一部に巻きつけたときのカフ１０の形状は、図５の（ｂ）に示すように、流体袋１２が内側に巻かれる状態になっている。
【００４２】
なお、カフ１０は使用者がカフ１０を装着する際、カフを持ち上げた時に腕の高さでカフが開き、装着を補助する構造になっていることが好ましい。
【００４３】
上述した通り、第１端部１１ａは、第２端部１１ｃの任意の位置に固定できるように構成されている。このため、使用者は、カフ１０を装着する生体の一部の幅に合うように、第２端部１１ｃへの第１端部１１ａの固定位置を調節することで、生体の一部へのカフ１０の巻きつけの強さを調整し、カフ１０を正しく装着することができる。
【００４４】
図５において、カフ１０と測定台２３の間に補助帯１が示されている。上述した通り、補助帯１が帯状であるため、補助帯１の適正な向きが視認しやすいことが分かる。また、補助帯１はねじれ難く、補助帯１の表面と血圧計本体２２との相対位置関係は変化し難いため、エア管２１のねじれを防ぐことが出来る。
【００４５】
（補助帯１の効果）
補助帯１は、ねじれ状態を視認可能な形状を有する。このため、使用者が血圧測定装置２００を使用する時に、当該使用者がカフ１０の取り付け方等の知識を予め有していなくても、補助帯１がねじれないようにカフ１０を装着することおよび、正しい方向でカフ１０を装着することが容易である。
【００４６】
また、使用者は、補助帯１の長さおよび設置位置から、カフ１０を装着すべき身体部位がどこであるかを容易に理解することができる。このため、使用者が誤った位置にカフ１０を装着することを防止できる。
【００４７】
さらに、補助帯１により、カフ１０の空間的自由度が制限される。これにより、使用者がカフ１０を装着する時に、カフ１０を不必要に移動または回転させる虞が低減されるため、エア管２１のねじれを防止することができる。
【００４８】
〔実施形態２〕
本発明の他の実施形態について、図６〜図８に基づいて説明すれば、以下のとおりである。本発明の実施形態２に係る血圧測定装置３００は、帯状の補助帯１の代わりに、２本の紐状の補助帯３１（３１ａ・３１ｂ）を備える点で、血圧測定装置２００と相違する。なお、説明の便宜上、前記実施形態にて説明した部材と同じ機能を有する部材については、同じ符号を付記し、その説明を省略する。
【００４９】
＜血圧測定装置３００の概略構成＞
図６の（ａ）は、本実施の形態に係る血圧測定装置３００を示す斜視図である。図６の（ａ）に示すように、血圧測定装置３００は、カフ１０、カフ接続器具１００ｂ、エア管２１、血圧計本体２２、および測定台２３を備えている。
【００５０】
＜カフ接続器具１００ｂの概略構成＞
カフ接続器具１００ｂは、カフ１０を測定台２３に物理的に接続する器具である。図６の（ａ）に示すように、カフ接続器具１００ｂは、補助帯３１（３１ａ・３１ｂ）、カフ固定器具３２、および補助帯固定器具３を備えている。
【００５１】
カフ固定器具３２は、カフ１０の外装帯１１の第２端部１１ｃ（図３参照）と補助帯３１とを接続するための器具である。カフ固定器具３２はクリップ型になっており、カフ１０の外装帯１１を挟みこむことで外装帯１１と補助帯３１とを接続している。カフ固定器具３２は、二本の補助帯３１ａ・３１ｂのそれぞれに取り付けられている。本実施形態では、カフ固定器具３２をクリップ型の形状としているが、カフ固定器具３２の形状として、他にも洗濯バサミ状の形状が考えられる。
【００５２】
図６の（ｂ）は、補助帯３１およびカフ固定器具３２の構成を示す分解図である。図６の（ｂ）に示すように、カフ固定器具３２は、上パーツ３２ａと下パーツ３２ｂと、ネジ３３と、ナット３４とを有する。下パーツ３２ｂには補助帯３１の一方の端部が直接取り付けられている。上パーツ３２ａおよび下パーツ３２ｂの両方には、それぞれネジ３３を通す為の穴が設けられている。上パーツ３２ａと下パーツ３２ｂとの間に外装帯１１を挟み込んだ状態で、上パーツ３２ａおよび下パーツ３２ｂの穴にネジ３３を挿入し、ナット３４で、締め付けることにより、カフ１０の外装帯１１と補助帯３１とを接続する。
【００５３】
図７の（ａ）は、板状クリップ５０の構成を示す平面図である。図７の（ｂ）は、板状クリップ５０が外装帯１１を挟み込む状態を示す図である。カフ固定器具３２として、図６の（ｂ）に示した形状のクリップの他に、例えば、図７の（ａ）および（ｂ）に示した板状クリップ５０を用いることが考えられる。
【００５４】
図７の（ａ）に示すように、板状クリップ５０は、外縁部５１と、中央部５２と、長穴５３とを有する。板状クリップ５０（特に、中央部５２）は、弾性を有する部材で構成されている。このため、図７の（ｂ）に示されるように、外縁部５１と中央部５２との間に外装帯１１を挟み込むことで、ボルトなどを使用せずに、カフ１０の外装帯１１を固定することができる。
【００５５】
図７の（ｃ）は、図７の（ａ）に示すＡＡ線の矢視断面図であって、板状クリップ５０の長穴５３を利用して補助帯３１を固定する方法を示している。補助帯３１の端部を下面から長穴５３の片側に通した後、中央部５２の上面を越えて、もう一方の長穴５３に通す。そして、符号７０を付した位置で、長穴５３に通した補助帯３１の一部を縫合、面ファスナー、手芸用ボタン、バックル等を用いて、補助帯３１の他の部分と固定することが好ましい。
【００５６】
図８の（ａ）は、バネ状クリップ５５の構成を示す斜視図である。図８の（ｂ）は、バネ状クリップ５５がカフ１０を挟み込む状態を示す図である。カフ固定器具３２のさらに別の例として、図８の（ａ）および（ｂ）に示したバネ状クリップ５５が考えられる。
【００５７】
図８の（ｂ）に示すように、バネ状クリップ５５は、上面部５５ａと、下面部５５ｂと、湾曲部５５ｃとを有する。少なくとも湾曲部５５ｃは、弾性を有する材料で構成されている。湾曲部５５ｃが弾性を有することで、上面部５５ａと下面部５５ｂとの間には、互いに重なり合う方向へ弾性力が働く。このため、図８の（ｂ）に示されるように、上面部５５ａおよび下面部５５ｂによって、外装帯１１を挟み込むことで、板状クリップ５０と同様に、ネジやナット等で締め付けることなく、外装帯１１を固定することが可能である。
【００５８】
カフ固定器具３２に対して補助帯３１を取り付ける方法については、カフ固定器具３２から補助帯３１が外れない方法であればよい。例えば、カフ固定器具３２に補助帯３１を縫い付けて一体とする方法が考えられる。また、カフ１０の外装帯１１に対して補助帯３１を縫い付けるなどして、両者を直接接続してもよい。
【００５９】
また、図６の（ａ）には、２本の補助帯３１（３１ａ・３２ｂ）が示されているが、紐状の補助帯３１（３１ａ・３２ｂ）の本数は上記の限りではなく、３本以上であってもよい。
【００６０】
＜カフ接続器具１００ｂの作用・効果＞
カフ接続器具１００ｂは、紐状の補助帯３１（３１ａ・３１ｂ）を備える。このため、使用者がカフ１０を装着する際に、適正な向きを視認し易い。これにより、使用者がカフ１０を装着する時に、カフ１０を不必要に移動または回転させる虞が低減されるため、エア管２１のねじれを防止することができる。
【００６１】
また、補助帯３１（３１ａ・３１ｂ）と外装帯１１とが、着脱可能なクリップまたはバネ型の固定具により接続される。このため、補助帯３１（３１ａ・３１ｂ）と外装帯１１とを容易に接続することができる。
【００６２】
〔実施形態３〕
本発明の他の実施形態について、図９に基づいて説明すれば、以下のとおりである。本実施形態に係る血圧測定装置４００は、補助帯１が、測定台２３に設けられた穴２４を介して測定台２３を貫通するように設置されている点で、血圧測定装置２００と相違する。なお、説明の便宜上、前記実施形態にて説明した部材と同じ機能を有する部材については、同じ符号を付記し、その説明を省略する。
【００６３】
図９の（ａ）は、本実施形態に係る血圧測定装置４００を示す斜視図である。図９の（ａ）に示すように、血圧測定装置４００は、カフ１０、カフ接続器具１００ｃ、エア管２１、血圧計本体２２、および測定台２３を備えている。また、本実施形態において、測定台２３には、穴２４が設けられている。
【００６４】
＜カフ接続器具１００ｃの概略構成＞
図９の（ｂ）は、カフ接続器具１００ｃの構成を示す平面図である。カフ接続器具１００ｃは、カフ１０を測定台２３に物理的に接続する器具である。図９の（ａ）および（ｂ）に示すように、カフ接続器具１００ｃは、補助帯１、取り付けリング４、布片５および錘（ストッパー）７を備えている。
【００６５】
本実施形態において、補助帯１は、穴２４を介して、測定台２３の両側に引き出されている。補助帯１の一端には、取り付けリング４が取り付けられている。補助帯１の、取り付けリング４が取り付けられている一端とは逆の一端には、錘７が取り付けられている。
【００６６】
取り付けリング４は、略矩形の環状の部材である。図９の（ｂ）に示すように、取り付けリング４には、補助帯１の一端と布片５とが、互いに対向するように取り付けられている。布片５は、面ファスナー６を備える。
【００６７】
カフ１０をカフ接続器具１００ｃに取り付ける場合、図９の（ａ）に示すように、まず取り付けリング４にカフ１０の外装帯１１を通す。その状態で、外装帯１１が備える面ファスナー１１ｄに、布片５に取り付けられた面ファスナー６を貼り付けて固定する。
【００６８】
錘７は、補助帯１が測定台２３から離脱することを防止する部材である。錘７は、穴（開口部）２４を通過することができない大きさおよび形状を有する。たとえば、錘７の一部の幅が、穴２４の幅より広ければよい。また、錘７は、ある程度の重さがあればよく、金属に限らず他の材質でもよい。
【００６９】
＜カフ接続器具１００ｃの効果＞
カフ接続器具１００ｃにおいては、補助帯１に錘７が取り付けられている。この構造により、カフ１０による血圧の測定後には錘７が自然落下し、カフ１０は調度、穴２４の真上位置に引き戻されることとなる。すなわち、カフ１０は、設置者の意図した場所へ収納される。したがって、血圧測定装置４００の使用者は、毎回同じ位置（所定の位置）にカフ１０が配された状態から血圧測定を始めることが出来る。
【００７０】
また、血圧計本体２２およびカフ１０に接続されたエア管２１は、相対位置関係が変化し難いため、エア管２１のねじれが防止される。
【００７１】
また、カフ１０が、面ファスナーを用いて生体に固定されるものである場合、当該面ファスナーに布片５が備える面ファスナー６を固定することができる。このため、カフ１０とカフ接続器具１００ｃとを接続するための加工をカフ１０に施さずに本発明を適応できる。
【００７２】
更に、カフ１０とカフ接続器具１００ｃとを、面ファスナー６を用いて取り付けることで、カフ１０を補助帯１に取り付けるために使用する部品を省略することができる。このため、カフ１０と補助帯１との取り付け部位の厚みを小さくすることができる。したがって、上記取り付け部位の血圧測定への影響を、より抑えることができる。また、使用者がカフ１０を装着している時に、上記取り付け部位が使用者の生体に接触することによる違和感を持たせないという効果も得られる。
【００７３】
〔実施形態４〕
本発明の他の実施形態について、図１０に基づいて説明すれば、以下のとおりである。本実施形態に係る血圧測定装置５００は、補助帯固定器具３に替えて、ドラム巻き取り式の補助帯固定器具２５（第２固定具）を備える点で、血圧測定装置２００などと相違する。なお、説明の便宜上、前記実施形態にて説明した部材と同じ機能を有する部材については、同じ符号を付記し、その説明を省略する。
【００７４】
図１０の（ａ）は、本実施の形態に係る血圧測定装置５００を示す斜視図である。
【００７５】
図１０の（ａ）に示すように、血圧測定装置５００は、カフ１０、カフ接続器具１００ｄ、エア管２１、血圧計本体２２、および測定台２３を備えている。
【００７６】
＜カフ接続器具１００ｄの概略構成＞
カフ接続器具１００ｄは、図１０の（ａ）に示すように、取り付けリング４、補助帯１、補助帯固定器具２５を備える。
【００７７】
図１０の（ｂ）に示されるように、カフ１０を取り付ける身体の部位に一周させる形で、外装帯１１の第２端部１１ｃを、第１端部１１ａに配された取り付けリング４の位置まで回し、第２端部１１ｃを取り付けリング４に貫通させることで、カフ１０を身体に装着する。
【００７８】
取り付けリング４で折り返された第２端部１１ｃには、複数の面ファスナー（図示せず）が、カフ１０を身体に装着したときに互いに接着する間隔で設けられており、これらの面ファスナーによってカフ１０が身体の一部に固定される。
【００７９】
ここで、補助帯１は、外装帯１１の直接測定に影響のない箇所に糸などを用いて縫合されることが好ましい。
【００８０】
また、図１１の（ａ）は補助帯固定器具２５のドラムを支えるフレーム２６の斜視図である。図１１の（ｂ）は補助帯固定器具２５のドラムを支える金属ステー２７の斜視図である。補助帯固定器具２５の固定方法の例として、図１１の（ａ）に示すフレーム２６と、図１１の（ｂ）に示す金属ステー２７とを組み合わせることにより、補助帯固定器具２５のドラム部分をヘルスケアシステム７００に備えられている椅子または机などに直接固定する方法が考えられる。固定する方法として、ネジ等で固定する方法、または、接着により固定する方法が考えられる。
【００８１】
また、図１１の（ｃ）は補助帯固定器具２５のドラムに外装２８を装着した状態の内部構造を示した断面図である。補助帯固定器具２５は、図１１の（ｃ）に示す外装２８を補助帯固定器具２５のドラムに装着することで当該ドラムを隠し、ドラムを内蔵した外装２８を内部機構としてヘルスケアシステム７００に備えられている椅子または机などに固定して用いてもよい。
【００８２】
本実施例ではカフ接続器具１００ｄはドラム巻き取り式となっており、測定台２３とは別に設けられた構造物（取り付け対象、図示せず）に物理的に固定される。カフ接続器具１００ｄのドラムは、当該ドラムの回転を制限する電動式の機構または手動でドラムを回転および固定するための機構を備えていてもよい。
【００８３】
＜カフ接続器具１００ｄの効果＞
カフ接続器具１００ｄを用いることにより、補助帯１が取り付け時に正しい測定位置で伸びきり、固定される。そのため、柔軟性のあるカフ１０を引っ張りつつ装着する時に、装着対象となる身体の部位を回転の軸としてカフ１０が回転することを防止できる。
【００８４】
また、測定後にドラム巻き取り式の補助帯固定器具２５によって補助帯１を巻き取ることにより、カフ１０を使用前の状態へ戻すことができる。
【００８５】
〔実施形態５〕
本発明の他の実施形態について、図１２に基づいて説明すれば、以下のとおりである。本実施形態に係る血圧測定装置６００は、手首式血圧計６１を備える点で、血圧測定装置２００などと相違する。なお、説明の便宜上、前記実施形態にて説明した部材と同じ機能を有する部材については、同じ符号を付記し、その説明を省略する。
【００８６】
図１２は、本実施の形態に係る血圧測定装置６００を示す斜視図である。
【００８７】
＜血圧測定装置６００の概略構成＞
図１２に示すように血圧測定装置６００は、手首式血圧計６１、補助帯６３、補助帯固定器具６２（第２固定具）、測定台２３を備える。更に手首式血圧計６１は、血圧計本体６０とカフ６４とを備え、血圧計本体６０とカフ６４とが、一体となっている構成である。
【００８８】
本実施形態５に関して、図１２に示すように、手首式血圧計６１の底面に、補助帯６３の一方の端部を取り付け、補助帯６３の他方の端部を補助帯固定器具６２に取り付ける。
【００８９】
補助帯固定器具６２は、測定台２３に取り付けられ、更に使用者が血圧を測定する際に手首固定台として使用できるように手首を乗せる上面が湾曲状に形成されている。また、補助帯固定器具６２は、測定台２３に固定されていてもよいし、容易に動かない重さの錘としての機能を備えていてもよい。
【００９０】
補助帯６３は、補助帯固定器具６２の中央に取り付けられているが、補助帯６３の取り付け部位は、補助帯固定器具６２の中央以外であってもよい。
【００９１】
また、血圧測定装置２００などと同様に、血圧測定の際に使用者が手首式血圧計６１を持ち上げた時に、カフ６４が開き、装着を補助する構造を有していることが好ましい。
【００９２】
＜血圧測定装置６００の効果＞
図１２に示されるように、カフ６４に対して補助帯６３が接続されているため、補助帯６３のねじれ等が視認し易く、装着方向や装着位置を誤らずにカフ６４を装着することが可能である。
【００９３】
さらに、血圧測定時には補助帯固定器具６２が手首を載置できる載置面６２ａを有しており、手首を置く台として機能することで、正しい位置で血圧測定が可能となる。
【００９４】
また、補助帯固定器具６２に固定された補助帯６３の長さに制限があるため、カフ６４の使用後に手首式血圧計６１の測定台２３からカフ６４が落下することやカフ６４が紛失することを防ぐことができる。
【００９５】
〔まとめ〕
本発明の態様１に係る接続器具（１００ａ）は、血圧測定用のカフ（１０）と、当該カフの取り付け対象とを、物理的に接続する接続器具であって、上記カフと上記取り付け対象とを接続する、帯状または複数の紐状部材を含む可撓性部材（補助帯１３）を備えている。
【００９６】
上記の構成によれば、補助帯は、目視することでねじれ状態が容易に分かる形状を有する。このため、使用者が血圧測定装置を使用する時に、当該使用者がカフの取り付け方等の知識を予め有していなくても、補助帯がねじれないようにカフを装着することおよび、正しい方向でカフを装着することが容易である。
【００９７】
また、使用者は、補助帯の長さおよび設置位置から、カフを装着すべき身体部位がどこであるかを容易に理解することができる。このため、使用者が誤った位置にカフを装着することを防止できる。
【００９８】
さらに、補助帯により、カフの空間的自由度が制限される。これにより、使用者がカフを装着する時に、カフを不必要に移動または回転させる虞が低減されるため、カフのねじれを防止することができる。それゆえ、適切な血圧測定ができるように血圧測定用カフを取り付け対象に取り付けられるとともに、上記カフのねじれを防止できるという効果を奏する。
【００９９】
本発明の態様２に係る接続器具は、上記態様１において、上記カフ（１０）と上記可撓性部材とを着脱可能に接続する第１固定具（カフ固定器具２）をさらに備えるものであってもよい。
【０１００】
上記の構成によれば、第１固定具によって、カフと上記可撓性部材とを着脱可能に接続することができ、カフの交換が容易になる。
【０１０１】
本発明の態様３に係る接続機具は、上記態様１または２において、上記可撓性部材（補助帯１）の端部を通す開口部（穴２４）が上記取り付け対象に形成されており、上記端部が上記開口部から抜けることを防止するストッパー（錘７）をさらに備えるものであってもよい。
【０１０２】
上記の構成によれば、錘の一部の幅が、開口部の幅を通過することができない大きさ、および、形状を有することにより、可撓性部材が測定台の開口部から離脱することを防止することができる。
【０１０３】
本発明の態様４に係るストッパー（錘７）は、上記態様３において、上記カフを所定の位置に戻す錘７として機能するものであってもよい。
【０１０４】
上記の構成によれば、カフによる血圧の測定後には錘が自然落下し、カフは調度、穴の真上位置に引き戻されることとなる。すなわち、カフは、設置者の意図した場所へ収納される。したがって、血圧測定装置の使用者は、毎回同じ位置にカフが配された状態から血圧測定を始めることができる。
【０１０５】
本発明の態様５に係る接続器具は、上記態様１または２において、上記取り付け対象に固定され、上記可撓性部材（補助帯１）を巻き取る巻き取り機構（補助帯固定器具２５）をさらに備えるものであってもよい。
【０１０６】
上記の構成によれば、測定後に巻き取り機構によって可撓性部材を巻き取ることにより、カフ１０を使用前の状態へ戻すことができる。
【０１０７】
本発明の態様６に係る接続器具は、上記可撓性部材（補助帯６３）を上記取り付け対象に接続する第２固定具（補助帯固定器具６２）をさらに備え、上記第２固定具は、測定対象者の手首を載置できる載置面（６２ａ）を有しているものであってもよい。
【０１０８】
上記の構成によれば、血圧測定時には第２固定具の載置面が手首を置く台として機能することで、正しい位置で血圧測定が可能となる。
【０１０９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１１０】
１、３１、３１ａ、３１ｂ、６３  補助帯（可撓性部材）
２、２ａ、２ｂ、３２  カフ固定器具（第１固定具）
３、２５、６２  補助帯固定器具（第２固定具）
７  錘（ストッパー）
１０、６４  カフ
２４  穴（開口部）
１００ａ、１００ｂ、１００ｃ、１００ｄ  カフ接続器具（接続器具）
２００、３００、４００、５００、６００  血圧測定装置
【図１】
2017063840.tif 000003
【図２】
2017063840.tif 000004
【図３】
2017063840.tif 000005
【図４】
2017063840.tif 000006
【図５】
2017063840.tif 000007
【図６】
2017063840.tif 000008
【図７】
2017063840.tif 000009
【図８】
2017063840.tif 000010
【図９】
2017063840.tif 000011
【図１０】
2017063840.tif 000012
【図１１】
2017063840.tif 000013
【図１２】
2017063840.tif 000014